(57)【要約】【課題】タラップ装置を人の出入り用に使用する機能と併せて安全性を高める機能を奏し、また使い勝手や操作性にも優れるタラップ装置付きマンホールカバー枠を提供する。【解決手段】マンホールの開口部に据え付けられる環状のカバー枠本体４にタラップ装置９を取り付ける。タラップ装置９は、カバー枠本体４に脱着可能に取り付けられた支持ブラケット１０と、この支持ブラケット１０に連結されたタラップ１１とを備える。タラップ１１は、支持ブラケット１０に回動可能に連結され、その回動でカバー枠本体４の内側の開口部の一端部から他端部に渡って延びるようにほぼ水平に倒伏する収納状態と、この収納状態からカバー枠本体４の上方に向って起立する起立状態とに姿勢を変換することが可能となっている。【選択図】    図２
0003109905.tif 000002
【実用新案登録請求の範囲】
【請求項１】
マンホールの開口部に設けられるマンホールカバー枠であって、
マンホールの開口部に据え付けられる環状のカバー枠本体にタラップ装置を取り付けてなり、
前記タラップ装置は、前記カバー枠本体に脱着可能に取り付けられた支持ブラケットと、この支持ブラケットに連結されたタラップとを備え、
前記タラップは、前記支持ブラケットに回動可能に連結され、その回動でカバー枠本体の内側の開口部の一端部から他端部に渡って延びるようにほぼ水平に倒伏する収納状態と、この収納状態からカバー枠本体の上方に向って起立する起立状態とに姿勢の変換が可能なことを特徴とするタラップ装置付きマンホールカバー枠。
【考案の詳細な説明】
【技術分野】
【０００１】
この考案は、マンホールに人が出入りする際に使用するタラップ装置を備えるタラップ装置付きマンホールカバー枠に関する。
【背景技術】
【０００２】
従来からタラップ装置を備えるマンホールカバー枠は提案され、公道用、土木用のマンホールに適用されている。
【考案の開示】
【考案が解決しようとする課題】
【０００３】
しかしながら、従来のマンホールカバー枠のタラップ装置は、単に人の出入りに用いる簡易な構造のもので、その機能が限定され、また使い勝手も悪いという問題がある。
【０００４】
そこで、この考案では、タラップ装置を人の出入り用に使用する機能と併せて安全性を高める機能を奏し、また使い勝手や操作性にも優れるタラップ装置付きマンホールカバー枠を提供することを目的としている。
【課題を解決するための手段】
【０００５】
この考案は、マンホールの開口部に設けられるマンホールカバー枠であって、マンホールの開口部に据え付けられる環状のカバー枠本体にタラップ装置を取り付けてなり、前記タラップ装置は、前記カバー枠本体に脱着可能に取り付けられた支持ブラケットと、この支持ブラケットに連結されたタラップとを備え、前記タラップは、前記支持ブラケットに回動可能に連結され、その回動でカバー枠本体の内側の開口部の一端部から他端部に渡って延びるようにほぼ水平に倒伏する収納状態と、この収納状態からカバー枠本体の上方に向って起立する起立状態とに姿勢の変換が可能なことを特徴としている。
【０００６】
マンホールに人が出入りするときには、カバー枠本体の内側に水平に収納されているタラップを上方に引き上げて起立させ、このタラップに足や手を掛け、マンホール内に入り込み、またタラップを伝わってマンホールから出る。そして起立状態のタラップを倒して収納する。
【考案の効果】
【０００７】
この考案によれば、タラップを回動する簡単な操作でタラップを起立させ、また収納することができる。収納されたタラップは、カバー枠本体の内側の直径部分に水平に延びるように配置され、このためカバー枠本体の内側の開口部がタラップで覆われ、このタラップが落下防止網として機能し、したがってマンホールに対する人や機材等の不用意な落下を防止して安全性を高めることができる。
【０００８】
一方、タラップに支持ブラケットを連結してなるタラップ装置は、カバー枠本体に対して脱着可能に取り付けられており、このためマンホールカバー枠を据え付ける施工の際に、そのタラップ装置をカバー枠本体から取り外しておくことが可能である。これにより、施工時にタラップ装置が作業上の邪魔となることがなく、このため作業が容易で能率よく施工することができ、またカバー枠本体のみを単独で取り扱うことができるため重量的にも有利となり、より能率よく施工をすることができる。
【考案を実施するための最良の形態】
【０００９】
以下、この考案の実施の形態について図面を参照して説明する。
【００１０】
図１に示す符号１は、建物の屋内にコンクリートの打ち込みにより施工された床スラブであり、この床スラブ１の下方に例えば貯水槽（図示せず）が構築され、その貯水槽に通じるマンホール２が床スラブ１に形成されている。そしてマンホール２の上端の開口部に、マンホールカバー枠３が床スラブ１の上面と面一となるように据え付けられている。
【００１１】
マンホールカバー枠３の外観を図２〜図４に示してあり、マンホールカバー枠３は円環状のカバー枠本体４を有し、このカバー枠本体４の内側にマンホールカバー（図示せず）を装着してマンホール２の上端の開口部を閉塞するようになっている。カバー枠本体４の内径は例えば600ｍｍあるいは650ｍｍである。
【００１２】
カバー枠本体４の周縁の一部分の下面には、一対の埋込ブラケット５が互いに並列するように取り付けられ、これら埋込ブラケット５はカバー枠本体４の下方に延びるようにカバー枠本体４に取り付けられ、床スラブ１のコンクリート内に埋め込まれ、カバー枠本体４の固定用のアンカーとして機能している。
【００１３】
各埋込ブラケット５は、カバー枠本体４の内側に向く表面がマンホール２の内周面に露出するように床スラブ１に埋め込まれ、その表面の裏面側の板面に複数のナット６が溶接等により取り付けられ、これらナット６に埋込ブラケット５の表面側からボルト７を螺挿することができるようになっている。
【００１４】
カバー枠本体４には、前記埋込ブラケット５を介してタラップ装置９が取り付けられている。このタラップ装置９は、一対の支持ブラケット１０と、これら支持ブラケット１０に連結されたタラップ１１とで構成され、前記支持ブラケット１０が前記埋込ブラケット５の表面に前記ボルト７を介して脱着可能に取り付けられている。
【００１５】
各支持ブラケット１０はそれぞれ側板部１２を有し、これら側板部１２が互いに離間して対向し、これら側板部１２に一方向に長いガイド孔１３が形成されている。各ガイド孔１３は上下方向に延び、かつマンホール２の軸線に対してやや傾斜するように形成されている。また、各側板部１２には前記ガイド孔１３を隔てるその両側に位置して円筒状をなす第１および第２の一対のストッパ部材１４ａ，１４ｂが取り付けられている。
【００１６】
タラップ１１は、平行に並ぶ一対の縦桟１７と、これら縦桟１７間に架設された横桟１８とからなる。横桟１８は縦桟１７の一端側の端部間と中間部間とに架設され、その一方の横桟１８と他方の横桟１８との間隔は一般のタラップ規格と同様の300〜350ｍｍの間隔となっている。
【００１７】
各縦桟１７の他端側の端部には支持軸１９が取り付けられ、これら支持軸１９が前記各支持ブラケット１０における側板部１２の外面側から前記ガイド孔１３内に挿入され、その挿入側の支持軸１９の外周にワッシャ２０が装着され、さらに図１に示すように支持軸１９に抜け止め用の割ピン２１が差し込まれ、これにより支持ブラケット１０に対してタラップ１１が回動可能に連結されている。
【００１８】
図１および図２には、タラップ１１がカバー枠本体４の内側に水平に倒れる収納状態を示してあり、この収納状態のもとでは、支持軸１９がガイド孔１３の上端部に当接し、タラップ１１の縦桟１７が第１のストッパ部材１４ａに当接することでタラップ１１がほぼ水平に支持される。タラップ１１は、カバー枠本体４の内径寸法よりやや短い長さとなっており、その収納状態ではカバー枠本体４の内側の開口部の一端部から他端部に渡る直径部分に延びるように配置される。
【００１９】
この収納状態からタラップ１１の支持軸１９の反対側の端部を上方に引き上げると、図３に示すように、支持軸１９を中心にタラップ１１が上方に回動するとともに、支持軸１９がガイド孔１３に沿って下方に移動し、この移動に伴って縦桟１７が第１のストッパ部材１４ａと第２のストッパ部材１４ｂとの間に入り込む。
【００２０】
そして図４に示すように、支持軸１９がガイド孔１３の下端部に達してその下端部に当接し、かつ縦桟１７が第１のストッパ部材１４ａと第２のストッパ部材１４ｂとで支持されることによりタラップ１１が起立状態に保持される。この起立状態では、タラップ１１はカバー枠本体４の外側に向ってやや傾くように保持される。
【００２１】
タラップ装置９を構成する支持ブラケット１０、ストッパ部材１４ａ，１４ｂ、縦桟１７、横桟１８の各部材は耐食性、耐久性を高めるためにその材質がステンレスとなっている。
【００２２】
なお、カバー枠本体４の内周部の相対向する二箇所には、カバー枠本体４の内側にマンホールカバーを装着した際にそのマンホールカバーをボルトで固定するための固定片２３が一体に突出形成されている。そしてタラップ１１における上端側の横桟１８の中間部には、タラップ１１を水平に倒伏させたときに前記一方の固定片２３に当接してその倒伏状態を安定させる当接片２４が取り付けられている。
【００２３】
また、図１に示すように、マンホール２の内周部には固定はしご２５が設けられ、この固定はしご２５は前記タラップ１１を起立させたときにそのタラップ１１と連なる位置に設けられている。
【００２４】
マンホール２に人が出入りするときには、まずマンホール２を覆うマンホールカバーを取り外し、カバー枠本体４の内側に水平に収納されているタラップ１１を上方に引き上げて起立させる。この操作は、タラップ１１を単に上方に引き上げるだけで容易に能率よく行なうことができる。
【００２５】
そして起立させたタラップ１１に足や手を掛け、このタラップ１１からその下方の固定はしご２５を伝わってマンホール２内に入り込み、その下方の貯水槽内で各種の作業を行なう。作業の終了後には、固定はしご２５からタラップ１１を伝わってマンホール２から出る。
【００２６】
タラップ１１はカバー枠本体４の内径寸法に近い十分な長さを有しており、またこのタラップ１１を起立させたときには、縦桟１７が第１のストッパ部材１４ａと第２のストッパ部材１４ｂとの間に入り込んで安定して支持され、このためマンホール２に対する出入りの際の上り下りを安全にかつ容易に能率よく行なうことができる。
【００２７】
作業が終了し、マンホール２から人が出たのちには、起立状態のタラップ１１をまず上方に引き上げて支持軸１９をガイド孔１３の上端部に配置させ、この状態で支持軸１９を中心にタラップ１１を下方に回動してカバー枠本体４の内側に倒す。
【００２８】
この操作でタラップ１１がカバー枠本体４の内側の直径部分に水平に延びるように収納され、これによりカバー枠本体４の内側の開口部がタラップ１１で覆われ、このタラップ１１が落下防止網として機能し、このためマンホール２に対する人や機材等の不用意な落下を防止して安全性を高めることができる。
【００２９】
カバー枠本体４は円環状に限らず、角形の環状の場合もあるが、この場合にはそのカバーがカバー枠本体４の内側を通過して落下する恐れがあるが、この場合でもこの考案のようにタラップ１１がカバー枠本体４の内側の部分に水平に延びることによりそのカバーの落下も防止することができる。
【００３０】
タラップ１１をカバー枠本体４の内側に収納したのちには、カバー枠本体４の内側にマンホールカバーを装着して固定する。  
一方、タラップ１１に支持ブラケット１０を連結してなるタラップ装置９は、カバー枠本体４に対して脱着可能に取り付けられており、このため床スラブ１を打ち込んでマンホールカバー枠３を床スラブ１に据え付ける施工の際に、そのタラップ装置９をカバー枠本体４から取り外しておくことが可能である。
【００３１】
すなわち、ボルト７を抜き取って支持ブラケット１０を埋込ブラケット５から外してカバー枠本体４とタラップ装置９とを分解し、この状態でカバー枠本体４のみを所定の据え付け位置にセットし、この状態で床スラブ１の成形用のコンクリートを打設し、かつ養生し、こののちカバー枠本体４にタラップ装置９を取り付ける。
【００３２】
このような手順によれば、施工時にタラップ装置９が作業上の邪魔となることがなく、このため作業が容易で能率よく施工することができ、またカバー枠本体４のみを単独で取り扱うことができるため重量的にも有利となり、より能率よく施工をすることができる。
【図面の簡単な説明】
【００３３】
【図１】この考案の一実施形態を示し、床スラブに据え付けられたマンホールカバー枠の断面図。
【図２】そのマンホールカバー枠の全体の外観を示し、タラップが収納されているときの状態の斜視図。
【図３】そのマンホールカバー枠の外観を示し、タラップが起立する途中の状態のときの斜視図。
【図４】そのマンホールカバー枠の外観を示し、タラップが起立したときの状態の斜視図。
【符号の説明】
【００３４】
１…床スラブ
２…マンホール
３…マンホールカバー枠
４…カバー枠本体
５…埋込ブラケット
９…タラップ装置
１０…支持ブラケット
１１…タラップ
１３…ガイド孔
１４ａ．１４ｂ…ストッパ部材
１７…縦桟
１８…横桟
１９…支持軸
【図１】
0003109905.tif 000003
【図２】
0003109905.tif 000004
【図３】
0003109905.tif 000005
【図４】
0003109905.tif 000006